(57)【要約】【課題】時計ケースに取り付けるばね棒の選択を容易にでき、かつ、ばね棒が設けられたバンドを時計ケースに容易に取り付けることができる時計用バンドの取付治具を提供すること。【解決手段】時計用バンドの取付治具１０は、長手状の本体部１１と本体部１１に取り付けられる把持部１２とを有する本体１００と、本体部１１に対してその長手方向に沿って移動可能に設けられるスライド部材１３とを備える。本体部１１及びスライド部材１３は、互いに対向する当接部１４，１５をそれぞれ有し、本体部１１及びスライド部材１３のそれぞれの当接部１４，１５は、時計ケースのカンに当接する第１面１４２Ａ，１５２Ａと、ばね棒３に当接する第２面１４２Ｂ，１５２Ｂとを有している。さらに、取付治具１０は、それぞれの当接部１４，１５の第１面間の距離を表示する第１距離表示部（目盛１６及びマーク１６１）を備える。【選択図】図４
2015132582.tif 000002
【特許請求の範囲】
【請求項１】
時計ケースのカンにばね棒を介してバンドを連結する時計用バンドの取付治具であって、
長手状の本体部と当該本体部に取り付けられる把持部とを有する本体と、
前記本体部に対してその長手方向に沿って移動可能に設けられるスライド部材と、を備え、
前記本体部及び前記スライド部材は、互いに対向する当接部をそれぞれ有し、
前記本体部及び前記スライド部材のそれぞれの当接部は、前記時計ケースのカンに当接する第１面と、前記ばね棒に当接する第２面とを有し、
前記それぞれの当接部の前記第１面間の距離を表示する第１距離表示部を備えることを特徴とする時計用バンドの取付治具。
【請求項２】
請求項１に記載の時計用バンドの取付治具において、
前記第１距離表示部は、前記本体部及び前記スライド部材の一方に設けられる目盛と、
前記本体部及び前記スライド部材の他方に設けられ、前記第１面間の距離を指し示す第１指標と、を有することを特徴とする時計用バンドの取付治具。
【請求項３】
請求項１または請求項２に記載の時計用バンドの取付治具において、
前記それぞれの当接部の前記第２面間の距離を表示する第２距離表示部を備え、
前記第２距離表示部は、前記本体部及び前記スライド部材の一方に設けられる目盛と、
前記本体部及び前記スライド部材の他方に設けられ、前記第２面間の距離を指し示す第２指標と、を有することを特徴とする時計用バンドの取付治具。
【請求項４】
請求項１から請求項３のいずれかに記載の時計用バンドの取付治具において、
前記本体部には、当該本体部の長手方向に沿って延びる前記スライド部材を案内するガイド溝が形成され、
前記スライド部材は、前記ガイド溝の少なくとも一方の面を押圧するばね部材を有することを特徴とする時計用バンドの取付治具。
【請求項５】
請求項１から請求項４のいずれかに記載の時計用バンドの取付治具において、
前記スライド部材は、凸状の操作部を備えることを特徴とする時計用バンドの取付治具。
【請求項６】
請求項１から請求項５のいずれかに記載の時計用バンドの取付治具において、
前記本体部の当接部と前記スライド部材の当接部は、前記ばね棒と係合する溝部を備え、
前記溝部は、略Ｖ字状に形成されていることを特徴とする時計用バンドの取付治具。
【請求項７】
請求項１から請求項６のいずれかに記載の時計用バンドの取付治具において、
前記本体部の当接部と前記スライド部材の当接部とは、当該本体部及び当該スライド部材のそれぞれに対して交換可能に設けられていることを特徴とする時計用バンドの取付治具。
【請求項８】
請求項７に記載の時計用バンドの取付治具において、
前記本体部の当接部と前記本体部とを位置決めする第１位置決め部材と、
前記スライド部材の当接部と前記スライド部材とを位置決めする第２位置決め部材と、を備えることを特徴とする時計用バンドの取付治具。
【発明の詳細な説明】
【技術分野】
【０００１】
本発明は、時計用バンドの取付治具に関し、特に、ばね棒が設けられたバンドを時計ケースに取り付けるための時計用バンドの取付治具に関する。
【背景技術】
【０００２】
従来、ばね棒が設けられた時計用バンドを時計ケースに容易に連結できる時計用バンドの取付工具が知られている（特許文献１）。
特許文献１に記載の時計用バンドの取付工具では、作業者は、片手で本体を把持しながら、本体の長手方向に沿って移動するスライド部材を操作することで、本体の第１当接部とスライド部材の第２当接部とを容易に近接離間できるようになっている。これにより、各当接部がばね棒のピンを筒状部材の内部に後退させ、ばね棒のピンをカン穴に対して位置合わせした後、当該取付工具を引き上げれば、各当接部がばね棒のピンを押し込んだ状態が解除され、ピンが筒状部材内に設けられたコイルばねの付勢力で外側に突出する。従って、ばね棒のピンがカン穴に挿入され、時計用バンドが時計ケースに取り付けられる。
【先行技術文献】
【特許文献】
【０００３】
【特許文献１】特開２０１１−１６４００４号公報
【発明の概要】
【発明が解決しようとする課題】
【０００４】
ところで、特許文献１に記載の時計用バンドの取付工具では、本体に各当接部間の寸法を調節する調節部材が取り付けられている。この調節部材の調整ねじは、スライド部材に当接することにより各当接部の近接を規制して、各当接部間の最小寸法（バンドの幅寸法）を設定できるようになっている。これにより、調節部材により予め、各当接部間の寸法をバンドの幅寸法と略同寸法となるように調節しておけば、各当接部間の寸法がバンドの幅寸法よりも小さくなることを防止できる。
【０００５】
しかしながら、特許文献１に記載の時計用バンドの取付工具では、例えば、２０ｍｍの長さのばね棒を当該取付工具により時計のカンに取り付けた後、１４ｍｍの長さのばね棒を当該取付工具により異なる時計のカンに取り付ける際には、調節部材の調節ねじをわざわざ作業者が回し、その寸法を調整する必要がある。このため、特許文献１に記載の時計用バンドの取付工具では、異なる長さのばね棒を連続して取り付ける際、作業者は容易にばね棒を取り付けることができないという課題がある。
また、ばね棒の長さは、時計ごとに異なることから、時計のカン幅を計測することによりばね棒を選択する必要がある。しかしながら、特許文献１に記載の時計用バンドの取付工具では、時計のカン幅を測定することができないので、例えば、他の工具を用いて時計のカン幅を計測し、その計測値に基づいてばね棒を選択するという手間が発生する。すなわち、特許文献１に記載の時計用バンドの取付工具のみを用いて、ばね棒の選択及び取付を行うことができないという課題がある。
【０００６】
本発明の目的は、時計ケースに取り付けるばね棒の選択を容易にでき、かつ、ばね棒が設けられたバンドを時計ケースに容易に取り付けることができる時計用バンドの取付治具を提供することにある。
【課題を解決するための手段】
【０００７】
本発明の時計用バンドの取付治具は、時計ケースのカンにばね棒を介してバンドを連結する時計用バンドの取付治具であって、長手状の本体部と当該本体部に取り付けられる把持部とを有する本体と、前記本体部に対してその長手方向に沿って移動可能に設けられるスライド部材と、を備え、前記本体部及び前記スライド部材は、互いに対向する当接部をそれぞれ有し、前記本体部及び前記スライド部材のそれぞれの当接部は、前記時計ケースのカンに当接する第１面と、前記ばね棒に当接する第２面とを有し、前記それぞれの当接部の前記第１面間の距離を表示する第１距離表示部を備えることを特徴とする。
【０００８】
本発明では、長手状の本体部の長手方向に沿ってスライド部材が設けられ、本体部には把持部が取り付けられている。また、本体部及びスライド部材のそれぞれは互いに対向する当接部を有しており、それぞれの当接部は、時計ケースのカンに当接する第１面及びばね棒に当接する第２面を備えている。また、それぞれの当接部の第１面間の距離を表示する第１距離表示を設けている。
このような構成により、それぞれの当接部を時計ケースのカン内に配置した状態でスライド部材を本体部の長手方向に沿って移動させた際に、それぞれの当接部の第１面が時計ケースのカンの側面に当接する。時計用バンドの取付治具がこのような状態にある際に、第１距離表示部は、第１面間の距離を表示する。
ここで、第１距離表示部としては、例えば、目盛及び当該目盛を指し示す指標の他、第１面間の距離をデジタル表示する表示装置が例示できる。
このような構成により、作業者は第１距離表示部を見るだけで、第１面間の距離、すなわち、時計ケースのカン幅を認識できる。すなわち、本発明では、時計ケースのカン幅を容易に計測し、当該時計ケースのカン幅を第１距離表示部を見るだけで認識できるので、時計ケースに取り付けるばね棒の選択を容易にできる。
【０００９】
ここで、ばね棒は、筒状部材と、この筒状部材の両端部に軸方向に沿って進退自在に設けられる一対のピンと、筒状部材の内部でピンを筒状部材の外側に付勢するばねとを備える。そして、バンドに取り付けられたばね棒を時計ケースのカンに固定する際、ピンをばねの付勢力に抗して筒状部材の内部に後退させた状態を維持して、時計ケースのカンの間にばね棒を配置し、ばね棒のピンをカン穴に挿入する必要がある。
本発明では、スライド部材を移動させるに伴って、本体の当接部と、スライド部材の当接部とが近接離間する。そして、各当接部を一対のピンに当接させて、各当接部を近づける方向にスライド部材を移動させると、一対のピンがばねの付勢力に抗して筒状部材の内部に後退する。これにより、各当接部がばね棒のピンを押し込んだ状態を容易に維持できる。
そして、この状態で、時計ケースのカンの間にばね棒を配置し、カン穴に対してばね棒のピンを位置合わせし、時計用バンドの取付治具を引き上げる。これにより、当接部がばね棒のピンを押し込んだ状態が解除され、一対のピンは、ばねの付勢力で外側に突出し、カン穴に嵌め込まれることとなる。
従って、作業者は、片手で把持部を把持しつつ、スライド部材を移動させることにより、他の計測機器を用いることなく時計ケースのカン幅を測定し、かつ、ばね棒が設けられたバンドを時計ケースに容易に取り付けることができる。
【００１０】
本発明の時計用バンドの取付治具において、前記第１距離表示部は、前記本体部及び前記スライド部材の一方に設けられる目盛と、前記本体部及び前記スライド部材の他方に設けられ、前記第１面間の距離を指し示す第１指標と、を有することが好ましい。
本発明では、本体部及びスライド部材の一方に目盛が設けられ、本体部及びスライド部材の他方に第１面間の距離を指し示す第１指標が設けられている。
このような構成により、各当接部の第１面を間の内側面に当接したときに、第１指標により指し示された目盛の位置（数値）が時計ケースのカン幅となる。すなわち、本発明では、時計ケースのカン幅を容易に計測し、当該時計ケースのカン幅を第１指標が指し示す目盛の位置を見るだけで認識できるので、時計ケースに取り付けるばね棒の選択を容易にできる。
【００１１】
本発明の時計用バンドの取付治具は、前記それぞれの当接部の前記第２面間の距離を表示する第２距離表示部を備え、前記第２距離表示部は、前記本体部及び前記スライド部材の一方に設けられる目盛と、前記本体部及び前記スライド部材の他方に設けられ、前記第２面間の距離を指し示す第２指標と、を有することが好ましい。
本発明では、本体部及びスライド部材の一方に目盛が設けられ、本体部及びスライド部材の他方に第２面間の距離を指し示す第２指標が設けられている。
このような構成により、スライド部材を本体部の長手方向に沿ってそれぞれの当接部を離間させ、ばね棒を挟持して各当接部の第２面に当接させた状態で第２指標により指し示された目盛の位置（数値）がばね棒の長さとなる。すなわち、本発明では、他の計測機器を用いることなくばね棒の長さを容易に計測し、当該ばね棒の長さを第２指標が指し示す目盛の位置を見るだけで認識できるので、時計ケースに適合するばね棒の選択を容易にできる。
【００１２】
本発明の時計用バンドの取付治具において、前記本体部には、当該本体部の長手方向に沿って延びる前記スライド部材を案内するガイド溝が形成され、前記スライド部材は、前記ガイド溝の少なくとも一方の面を押圧するばね部材を有することが好ましい。
本発明では、本体部に当該本体部の長手方向に沿って延びるガイド溝が形成され、当該ガイド溝の少なくとも一方の面を押圧するばね部材がスライド部材に設けられている。これにより、ばね部材がガイド溝の少なくとも一方の面を押圧することで、スライド部材と本体部のガイド溝との間に適度な摩擦力が発生するので、より作業者の操作性を向上させることができる。
例えば、スライド部材に設けられるばね部材の付勢力により生ずるガイド溝とばね部材との摩擦力をばね棒のばねの付勢力よりも大きく構成した場合には、各当接部間にばね棒を配置し、スライド部材を移動して各当接部を近づけてばね棒のピンを筒状部に押し込んだ後、スライド部材から作業者が手を離したとしても、ばね部材の付勢力により生じた摩擦力により、スライド部材の当接部が当該位置にて維持されることとなる。これにより、作業者は、スライド部材を保持することなく、ばね棒を当接部で保持した状態を維持できるので作業をより容易にできる。
【００１３】
本発明の時計用バンドの取付治具において、前記スライド部材は、凸状の操作部を備えることが好ましい。
例えば、作業者は、把持部を親指以外の指で握りつつ、親指で操作部を操作する。
本発明では、スライド部材に凸状の操作部が備えられているので、作業者は、凸状の操作部を親指で押したり引いたりすることにより、当該スライド部材を容易に移動させることができる。これにより、作業者の作業性を向上できる。
【００１４】
本発明の時計用バンドの取付治具において、前記本体部の当接部と前記スライド部材の当接部は、前記ばね棒と係合する溝部を備え、前記溝部は、略Ｖ字状に形成されていることが好ましい。
ここで、ばね棒のピンの直径は、時計により異なる。このため、例えば、各当接部に設けられた溝部がＵ字状で形成されている場合、当該Ｕ字内に嵌らない直径のピンを保持することができない。また、ばね棒のピンの直径がＵ字状の溝部に対して小さすぎる場合、当該Ｕ字状の溝部内でばね棒のピンが遊んでしまい、ばね棒を確実に固定することができない。これに対して、本発明では、本体部の当接部及びスライド部材の当接部に備えられた溝部が略Ｖ字状に形成されている。このため、Ｖ字状の溝部の開口寸法は、溝底部から開口部側に向けて大きくなる。すなわち、Ｖ字状の溝部の距離が異なるため、ばね棒のピンが溝部に当接する直径のピンであれば、どのような直径のピンであっても保持できる。これにより、ばね棒のピンの直径が異なる場合であっても、確実に各当接部によりばね棒が設けられたバンドを時計ケースに容易に取り付けることができる。
【００１５】
本発明の時計用バンドの取付治具において、前記本体部の当接部と前記スライド部材の当接部とは、当該本体部及び当該スライド部材のそれぞれに対して交換可能に設けられていることが好ましい。
本発明では、本体部及びスライド部材のそれぞれに設けられた当接部は、本体部及びスライド部材のそれぞれに対して交換可能に設けられている。
このような構成により、本体部及びスライド部材のそれぞれに設けられた当接部を交換することができる。例えば、本体部及びスライド部材のそれぞれには、当接部がねじ固定される場合、磁力により固定される場合、その他、ロック機構等により固定される場合が考えられる。これにより、例えば、時計用バンド取付治具を作業者が誤って落下等させることにより、各当接部のいずれかが破損した場合に、当該破損した当接部のみを交換することができる。すなわち、本発明では、当接部単体での交換ができる。
【００１６】
本発明の時計用バンドの取付治具は、前記本体部の当接部と前記本体部とを位置決めする第１位置決め部材と、前記スライド部材の当接部と前記スライド部材とを位置決めする第２位置決め部材と、を備えることが好ましい。
本発明では、本体部の当接部と本体部とを位置決めする第１位置決め部材及びスライド部材の当接部とスライド部材とを連結する第２位置決め部材を備えている。これにより、本体部に当接部を取り付ける際には、まず第１位置決め部材を取り付け、当接部を取り付けることで、本体部と当接部とを位置決めすることができる。これと同様に、スライド部材に当接部を取り付ける際には、まず第２位置決め部材を取り付け、当接部を取り付けることで、スライド部材と当接部とを位置決めすることができる。このため本体部と当接部及びスライド部材と当接部とのそれぞれを、例えば、ねじで固定する場合、ねじ孔の位置合わせが容易となり、当接部の取付作業性を向上できる。
【図面の簡単な説明】
【００１７】
【図１】本発明の第１実施形態に係る時計の要部を拡大した平面図。
【図２】前記実施形態に係るばね棒の外観図。
【図３】前記ばね棒の断面図。
【図４】前記実施形態に係る取付治具の全体を示す斜視図。
【図５】（Ａ）は、前記取付治具の正面図、（Ｂ）は、前記取付治具の背面図、（Ｃ）は前記取付治具の平面図、（Ｄ）は、前記取付治具の底面図。
【図６】（Ａ）は前記取付治具の右側面図、（Ｂ）は、前記取付治具の左側面図。
【図７】前記取付治具の本体部及びスライド部材に取り付けられる当接部の取付構造を示す斜視図。
【図８】前記取付治具の前記当接部が取り外された状態を示す図。
【図９】前記取付治具により時計ケースのカンの測定方法を示す図。
【図１０】前記実施形態に係るバンドがケースに取り付けられる工程を示す図。
【図１１】前記実施形態に係るバンドがケースに取り付けられる工程を示す図。
【図１２】前記実施形態に係るバンドがケースに取り付けられる工程を示す図。
【図１３】本発明の第２実施形態に係る取付治具を示す図。
【発明を実施するための形態】
【００１８】
以下、本発明に係る第１実施形態を図面に基づいて説明する。
［時計の概略構成］
図１は、時計１の要部を拡大した平面図である。
時計１は、時計ケース２を備え、ケース２の６時方向及び１２時方向（図１では６時方向のみ図示）には、ばね棒３によって装着用のバンド４が取り付けられる。
ケース２の６時方向及び１２時方向には、ケース２の側面から突出する一対のカン２１がそれぞれ設けられている。一対のカン２１には、ばね棒３が挿入されるカン穴２１１が同軸上にそれぞれ形成されている。
【００１９】
バンド４は、複数の駒４１が組み合わされて構成され、ケース２の６時方向及び１２時方向において一対のカン２１の間にそれぞれ配置されるエンドピース４２を両端に有する。
エンドピース４２には、バンド４の幅方向に貫通孔４２１が形成され、この貫通孔４２１にばね棒３が挿通される。
すなわち、カン２１の各カン穴２１１、及びエンドピース４２の貫通孔４２１が同軸上に配置されて、各カン穴２１１及び貫通孔４２１にばね棒３が挿通されることにより、ケース２とバンド４とが連結されている。
【００２０】
［ばね棒の構成］
図２は、ばね棒３の外観図である。図３は、ばね棒３の断面図であり、図３（Ａ）は、ばね棒３のばね３３が伸びている状態を示す断面図、図３（Ｂ）は、ばね棒３のばね３３が縮んでいる状態を示す断面図である。
ばね棒３は、バンド４（図１参照）の幅寸法と略同じ長さ寸法を有する円筒状の筒状部材３１と、この筒状部材３１の両端に挿入される一対のピン３２と、筒状部材３１の内部で一対のピン３２の間に位置し、両方のピン３２を筒状部材３１の外側に向けて付勢するばね３３とを備えている。
筒状部材３１の端部３１０には、筒状部材３１の径方向において、中心側に向けて延出
した係止部３１Ａがそれぞれ形成されている。この係止部３１Ａは、ピン３２の段差部分（後述する大径部３２１と小径部３２２との段差部分）に係合し、ピン３２が筒状部材３１から外れることを防止するものである。
【００２１】
ピン３２は、筒状部材３１の軸方向に沿って進退可能とされている。このピン３２は、ばね３３が当接する大径部３２１と、大径部３２１の径寸法よりも小さく形成される小径部３２２とを備えている。
小径部３２２には、第１つば部３２２１と、第２つば部３２２２とが略同一径となるように、間隔を空けて外側から順に形成されている。
第１つば部３２２１は、後述する時計用バンドの取付治具１０の各当接部１４,１５が当接する部分である。
ここで、ピン３２は、図３（Ａ）に示すように、ばね３３に付勢されて筒状部材３１の外側に突出した状態から、図３（Ｂ）に示すように、筒状部材３１の内側に向かってばね３３を押し縮めて、第２つば部３２２２が筒状部材３１の端部３１０に当接する状態まで、後退可能である。反対に、図３（Ｂ）の状態から、ばね３３の付勢力によりピン３２が突出すると、図３（Ａ）に示すように、大径部３２１と小径部３２２との段差部分が筒状部材３１の係止部３１Ａに当接するまで、突出可能である。
【００２２】
［時計用バンドの取付治具の構成］
図４は、時計用バンドの取付治具１０の全体を示す斜視図であり、図５（Ａ）は、時計用バンドの取付治具１０の正面図であり、図５（Ｂ）は、時計用バンドの取付治具１０の背面図であり、図５（Ｃ）は、時計用バンドの取付治具１０の平面図であり、図５Ｄは、時計用バンドの取付治具１０の底面図である。図６（Ａ）は、時計用バンドの取付治具１０の右側面図であり、図６（Ｂ）は、時計用バンドの取付治具１０の左側面図である。
時計用バンドの取付治具１０（以下、取付治具１０と略す場合がある）は、バンド４のエンドピース４２に挿通されたばね棒３のピン３２を筒状部材３１の内部に押し込んで、ケース２のカン２１に対してバンド４を取り付ける治具である。この取付治具１０は、本体１００と、スライド部材１３とを備えている。本体１００は、長手状の本体部１１と、本体部１１の基端側に取り付けられる把持部１２とを備えている。
【００２３】
［本体部の構成］
本体部１１には、図４に示すように、スライド部材１３及び第１当接部１４が取り付けられている。本体部１１には、当該本体部１１の長手方向に沿って延びるガイド溝１１１が形成され、当該ガイド溝１１１に沿ってスライド部材１３が移動する。すなわち、ガイド溝１１１は、スライド部材１３を案内する機能を有する。
また、第１当接部１４は、本体部１１の基端側とは反対側の先端側に交換可能な状態で取り付けられている。
【００２４】
［スライド部材の構成］
スライド部材１３は、図４に示すように、スライド部材本体１３０と、操作部１３２とを備えている。スライド部材本体１３０は、詳しくは後述するが、本体部１１のガイド溝１１１に係合することにより、ガイド溝１１１に沿って移動可能になっている。
半円柱状（凸状）の操作部１３２は、スライド部材本体１３０の表面側で、かつ、把持部１２側に設けられ、その表面にはローレット加工がなされている。このため、作業者は、スライド部材１３を移動させる際に、把持部１２を親指以外の指で握り、親指で操作部１３２を押したり引いたりすることにより、確実にスライド部材１３を本体部１１の長手方向に（ガイド溝１１１に沿って）移動させることができる。
また、スライド部材本体１３０の第１当接部側の端部には、第２当接部１５が当該スライド部材本体１３０に対して交換可能な状態で取り付けられている。
【００２５】
［当接部の構成］
第１当接部１４と第２当接部１５とは、図４に示すように、それぞれが対向するように本体部１１及びスライド部材１３に取り付けられている。
第１当接部１４は、第１当接部本体１４１と第１接触部１４２とを備えている。第１当接部本体１４１は、第１接触部１４２に向かうにつれて徐々に薄くなる形状である。
第１接触部１４２は、板状に形成されており、第１面１４２Ａと第２面１４２Ｂとを有している。第２面１４２Ｂは、第２当接部１５に対向する面である。第１面１４２Ａは、第２面１４２Ｂの反対側の面であり、本体部１１の先端側に面している。また、第１接触部１４２の先端には、ばね棒３のピン３２の第１つば部３２２１に係合するＶ字状の溝部１４２１が形成されている。
なお、詳しくは後述するが、第１接触部１４２の第１面１４２Ａは、時計ケース２のカン２１に当接する面であり、第２面１４２Ｂは、ばね棒３のピン３２の第１つば部３２２１に当接する面である。
【００２６】
第２当接部１５は、第２当接部本体１５１と第２接触部１５２とを備えている。第２当接部本体１５１は、第２接触部１５２に向かうにつれて徐々に薄くなる形状である。
第２接触部１５２は、第１接触部１４２と同様に、板状に形成されており、第１面１５２Ａと第２面１５２Ｂとを有している。第２面１５２Ｂは、第１当接部１４に対向する面である。第１面１５２Ａは、第２面１５２Ｂの反対側の面であり、本体部１１の基端側に面している。また、第２接触部１５２の先端には、ばね棒３のピン３２の第１つば部３２２１に係合するＶ字状の溝部１５２１が形成されている。
なお、詳しくは後述するが、接触部１５２の第１面１５２Ａは、時計ケース２のカン２１に当接する面であり、第２面１５２Ｂは、ばね棒３のピン３２の第１つば部３２２１に当接する面である。
【００２７】
［第１距離表示部の構成］
本発明の第１距離表示部は、目盛１６とマーク１６１とによって構成される。
本体部１１は、目盛１６が設けられている。目盛１６は、詳しくは後述するが、第１当接部１４と第２当接部１５とが時計ケース２のカン２１に当接した際のカン幅を表示するために設けられている。
また、スライド部材本体１３０は、本発明の第１指標（インデックス）としてのマーク１６１が設けられている。マーク１６１は、三角形状であり、その先端が目盛１６を指し示す機能を備えている。
【００２８】
［目盛の構成］
目盛１６は、図４に示すように、１ｍｍ単位で区切られた縦線の集合体であって、５ｍｍ単位で５〜３５の数字が付されている。また、前述したマーク１６１は、本体部１１に設けられた第１当接部１４の第１接触部１４２の第１面１４２Ａと、スライド部材１３に設けられた第２当接部１５の第２接触部１５２の第１面１５２Ａとの距離を表示する。
なお、第１当接部１４の接触部１４２と第２当接部１５の接触部１５２の厚さ寸法は、時計ケース２のカン２１とバンド４との隙間に挿入可能な寸法とされ、例えば、約１．５ｍｍである。
例えば、時計ケース２のカン２１に第１接触部１４２の第１面１４２Ａ及び第２接触部１５２の第１面１５２Ａを当接させた場合、例えば、スライド部材本体１３０に設けられたマーク１６１が目盛１６の「２０」の数字を指し示した場合、作業者は、時計ケース２におけるカン２１のカン幅は２０ｍｍであることを容易に理解できる。
すなわち、スライド部材本体１３０に設けられたマーク１６１の先端が指し示す目盛１６の数値が、時計ケース２のカン幅となる。
【００２９】
［スライド部材の取付構造］
図７は、時計用バンドの取付治具１０の本体部１１に対して取り付けられるスライド部材１３の取付構造、及び、各当接部１４，１５の取付構造を示す斜視図である。図８は、時計用バンドの取付治具１０の本体部１１及びスライド部材１３に取り付けられる第１当接部１４及び第２当接部１５が取り外された状態を示す図である。
スライド部材１３のスライド部材本体１３０は、図７に示すように、第１スライド板１３１と第２スライド板１３３とを備えている。第１スライド板１３１と第２スライド板１３３とは、本体部１１を挟んで対向するように配置される。
第１スライド板１３１の第２当接部１５が取り付けられる側の側面には、図８に示すように、ねじ孔１３１１，１３１２と凹部１３１３とが形成されている。第１スライド板１３１の把持部１２側の端部には、当該第１スライド板１３１を貫通する不図示の２つのねじ孔が形成されている。また、前述した操作部１３２の本体部１１側の面にも不図示のねじ孔が形成されており、これらのねじ孔にねじ１３７，１３８が螺合することにより、第１スライド板１３１に操作部１３２が固定される。
【００３０】
スライド部材本体１３０の第２スライド板１３３は、本体部１１のガイド溝１１１に向けて突出する突出部１３３Ａを備えている。突出部１３３Ａには、凹部１３３Ｂが形成され、ガイド溝１１１の上面１１１Ａ側との間に空間が形成されている。凹部１３３Ｂの角部分には、略半円状の切欠１３３Ｃが形成されている。この切欠１３３Ｃには、図７に示すように、板ばね部材１３４が曲げられた状態で嵌め込まれる。これにより、板ばね部材１３４は、本体部１１のガイド溝１１１の上面１１１Ａを押圧（付勢）するようになっている。
また、突出部１３３Ａの両端部分には、不図示のねじ孔が形成されている。この不図示のねじ孔には、ねじ１３５，１３６が螺合する。また、第１スライド板１３１の本体部１１側の面にも不図示のネジ孔が形成されており、ねじ１３５，１３６がこれらのねじ孔にも螺合することにより、第１スライド板１３１と第２スライド板１３３とは、本体部１１を挟んだ状態でスライド自在に固定される。すなわち、スライド部材１３は、板ばね部材１３４のガイド溝１１１の上面１１１Ａへの付勢力により生じる板ばね部材１３４とガイド溝１１１との摩擦力により、作業者が親指にて操作部１３２を操作しない限り、その位置にて維持される。
【００３１】
［各当接部の取付構造］
第１当接部１４の第１当接部本体１４１の本体部１１側の面には、図８に示すように、ねじ孔１４３，１４４及び凹部１４５が形成されている。本体部１１の第１当接部１４が取り付けられる位置には、ねじ孔１１２，１１３及び凹部１１４が形成されている。この凹部１１４，１４５は、本発明の第１位置決め部材としての第１位置決めピン１４９が嵌まり込む機能を備えている。これにより、第１当接部１４を本体部１１に取り付ける際には、まず第１位置決めピン１４９を第１当接部１４の凹部１４５もしくは本体部１１の凹部１１４に嵌めこんだ状態で、他方の凹部１１４もしくは凹部１４５に嵌めこむことにより、本体部１１と第１当接部１４とを位置決めする。そして、本発明のねじ部材であるねじ１４７，１４８を本体部１１のねじ孔１１２，１１３及び第１当接部１４のねじ孔１４３，１４４に螺合させることにより、本体部１１に第１当接部１４が取り付けられる。
【００３２】
第２当接部１５のスライド部材本体１３０のねじ孔１３１１，１３１２に対向する面には、第１当接部１４と同様に、不図示の２つのねじ孔及び凹部が形成されている。スライド部材本体１３０の第１スライド板１３１には、前述したように、ねじ孔１３１１，１３１２、及び凹部１３１３が形成されている。前述した第２当接部１５の不図示の凹部と凹部１３１３は、本発明の第２位置決め部材としての第２位置決めピン１５９が嵌まり込む機能を備えている。これにより、第２当接部１５をスライド部材１３のスライド部材本体１３０に取り付ける際には、まず第２位置決めピン１５９を第２当接部１５の不図示の凹部もしくは第１スライド板１３１の凹部１３１３に嵌めこんだ状態で、他方の凹部（不図示の凹部もしくは凹部１３１３）に嵌めこむことにより、スライド部材１３と第２当接部１５とを位置決めする。そして、本発明のねじ部材であるねじ１５７，１５８を第２当接部１５の不図示のねじ孔及び第１スライド板１３１のねじ孔１３１１，１３１２に螺合させることにより、スライド部材１３に第２当接部１５が取り付けられる。
【００３３】
以上のようにして本体部１１に第１当接部１４が取り付けられ、スライド部材１３に第２当接部１５が取り付けられる。なお、本発明の第１実施形態に係る時計用バンドの取付治具１０では、このようにして取り付けられた第１当接部１４及び第２当接部１５を、図８に示す第１当接部１４Ｅ及び第２当接部１５Ｅに取り替えることもできる。
第１当接部１４Ｅの第１当接部本体１４１Ｅ及び第２当接部１５Ｅの第２当接部本体１５１Ｅは、第１当接部１４の第１当接部本体１４１及び第２当接部１５の第２当接部本体１５１に比べて短くなっている。なお、各当接部本体１４１Ｅ，１５１Ｅ以外の構成については、第１当接部１４及び第２当接部１５と同様の構成であるため、同一番号を付し、説明を省略する。このような第１当接部１４Ｅ及び第２当接部１５Ｅは、例えば、女性用の時計等のカン幅が小さい時計に用いられる。
【００３４】
［時計ケースのカン幅の測定］
次に、取付治具１０を用いて、時計ケース２のカン幅を測定する方法について、図９を参照して説明する。図９は、取付治具１０により時計ケース２のカン２１のカン幅を測定する方法を示す図である。
まず、作業者は、取付治具１０の把持部１２を把持し、第１当接部１４と第２当接部１５とを時計ケース２のカン２１内に配置する。そして、スライド部材１３の操作部１３２を把持部１２側に引き寄せることにより、スライド部材１３を本体部１１の長手方向に移動させる。これにより、第１当接部１４の接触部１４２の第１面１４２Ａ及び第２当接部１５の接触部１５２の第１面１５２Ａがそれぞれ時計ケース２のカン２１の側面に当接する。この状態（図９に示す状態）で本体部１１に設けられた目盛１６に対するスライド部材１３に設けられたマーク１６１により指示された位置が時計ケース２のカン幅となる。すなわち、作業者は、マーク１６１の示す目盛１６の位置（２２ｍｍ）を見ることで、時計ケース２のカン幅を認識することができる。
これにより、作業者は、時計ケース２のカン幅に合ったばね棒３を選択し、次の工程に移る。
【００３５】
［ケースとバンドとの連結］
次に、取付治具１０を用いて、ケース２とバンド４とを連結する方法について、図１０〜図１２を参照して説明する。また、ばね棒３のばね３３の伸縮の説明については、図３も参照して説明する。図１０〜図１２は、バンド４がケース２に取り付けられる工程を示す図である。
まず、図１０に示すように、ばね棒３をバンド４の貫通孔４２１に挿通させる。そして、作業者は、片手で本体部１１の把持部１２を把持しながら、スライド部材１３を移動させて、各当接部１４，１５の接触部１４２,１５２間の寸法がばね棒３の長さ寸法よりも大きくなるように離間させる。
【００３６】
そして、スライド部材１３を各当接部１４，１５間を狭めるように、すなわち、図１１に示すように移動させ、ばね棒３の小径部３２２が各接触部１４２,１５２の溝部１４２１,１５２１に挿通される。さらに、各接触部１４２，１５２の第２面１４２Ｂ，１５２Ｂが、ばね棒３の第１つば部３２２１の外側面３２２１Ａに接触する。
この際、ばね棒３のピン３２は、筒状部材３１の内部に後退し、各接触部１４２,１５２がエンドピース４２の貫通孔４２１の両端に形成される切欠部４２２に入り込む。すなわち、第２当接部１５を第１当接部１４に当接させる方向に移動させることで、ばね棒３のピン３２は、各接触部１４２,１５２により筒状部材３１の内部に後退させられた状態となる。
ここで、スライド部材１３に設けられる板ばね部材１３４の付勢力により発生する板ばね部材１３４とガイド溝１１１の上面１１１Ａとの摩擦力は、ばね棒３のばね３３の付勢力よりも大きく構成されている。このため、各当接部１４，１５を離間させる方向にスライド部材１３を移動させて、各当接部１４，１５間にばね棒３を配置した後、スライド部材１３の操作部１３２から作業者が手（親指）を離したとしても、上記摩擦力により、スライド部材１３の第２当接部１５が当該位置にて維持される。
【００３７】
次に、この状態で、バンド４をばね棒３のピン３２がカン穴２１１に通るように位置付ける。
そして、図１２に示すように、取付治具１０を引き上げると、ピン３２がばね３３の付勢力により筒状部材３１の外側に突出し、カン穴２１１に嵌まり込む。これにより、エンドピース４２がカン２１に連結されて、バンド４がケース２に固定される。
【００３８】
一方、バンド４をケース２から取り外す際には、取付治具１０の各溝部１４２１，１５２１を第１つば部３２２１と第２つば部３２２２との間に挿通する。そして、作業者は、把持部１２を把持しながら、スライド部材１３を各当接部１４，１５が近接する方向へ動作させる。これにより、各接触部１４２，１５２の第２面１４２Ｂ，１５２Ｂが第２つば部３２２２の外側面３２２１Ａに接触し、ピン３２が筒状部材３１の内部に後退するとともに、カン穴２１１から外れ、バンド４がケース２から取り外される。
【００３９】
［第１実施形態の作用効果］
上述した本発明の第１実施形態における時計用バンドの取付治具１０によれば、以下の効果を奏する。
本実施形態では、それぞれの第１当接部１４及び第２当接部１５が当接した状態で、時計ケース２のカン２１内に配置し、スライド部材１３の操作部１３２を把持部１２側に引き寄せた際に、第１当接部１４の接触部１４２の第１面１４２Ａ及び第２当接部１５の接触部１５２の第１面１５２Ａは、それぞれ時計ケース２のカン２１の側面に当接する。この状態で目盛１６に対するマーク１６１により指示された位置が時計ケース２のカン幅となる。すなわち、作業者は、マーク１６１の示す目盛１６の位置を見るだけで、時計ケース２のカン幅を認識することができるので、時計ケース２に取り付けるばね棒３の選択を容易にできる。
【００４０】
本実施形態では、各当接部１４，１５を一対のピン３２に当接させて、各当接部１４，１５間の距離が小さくなる方向にスライド部材１３を移動させると、一対のピン３２がばね３３の付勢力に抗して筒状部材３１の内部に後退する。これにより、各当接部１４，１５がばね棒３のピン３２を押し込んだ状態を容易に維持できる。
そして、この状態で、ケース２のカン穴２１１に対してピン３２を位置合わせし、時計用バンドの取付治具１０を引き上げる。これにより、各当接部１４，１５がばね棒３のピン３２を押し込んだ状態が解除され、一対のピン３２は、ばね３３の付勢力で外側に突出し、カン穴２１１に通ることとなる。
従って、作業者は、片手で把持部１２を把持しつつ、スライド部材１３を移動させることにより、他の計測機器を用いることなく時計ケース２のカン幅を測定し、かつ、ばね棒が設けられたバンド４を時計ケース２に容易に取り付けることができる。
【００４１】
本実施形態では、本体部１１にガイド溝１１１が形成され、当該ガイド溝１１１の上面１１１Ａを押圧する板ばね部材１３４がスライド部材１３の第２スライド板１３３の突出部１３３Ａに設けられている。これにより、板ばね部材１３４がガイド溝１１１の上面１１１Ａを押圧することで、スライド部材１３と本体部１１のガイド溝１１１の上面１１１Ａとの間に適度な摩擦力が発生するので、より作業者の操作性を向上させることができる。
【００４２】
また、本実施形態では、スライド部材１３に設けられる板ばね部材１３４の付勢力により生じる板ばね部材１３４とガイド溝１１１の上面１１１Ａとの間の摩擦力は、ばね棒３のばね３３の付勢力よりも大きく構成されている。このため、各当接部１４，１５間にばね棒３を配置し、スライド部材１３を移動して各当接部１４，１５を近づけてばね棒３のピン３２を筒状部材３１に押し込んだ後、スライド部材１３の操作部１３２から作業者が親指を離したとしても、板ばね部材１３４の付勢力により生じた当該板ばね部材１３４とガイド溝１１１の上面１１１Ａとの摩擦力により、スライド部材１３の第２当接部１５を当該位置に維持できる。
さらに、時計ケース２のカン幅を測定する際、スライド部材１３を移動させることにより、カン２１の側面に各当接部１４，１５の接触部１４２，１５２を当接させた後、スライド部材１３の操作部１３２から作業者が親指を離したとしても、当該スライド部材１３は、その位置で維持される。
すなわち、スライド部材１３を移動させた後に、作業者が当該スライド部材１３をその位置で維持するために、操作部１３２を親指で押さえている必要が無いので、より操作性を高めることができる。
【００４３】
本実施形態では、スライド部材１３に凸状の操作部１３２が備えられているので、作業者は、把持部１２を親指以外の指で握り、親指で操作部１３２を押したり引いたりすることにより、当該スライド部材１３を容易に移動させることができる。これにより、作業者による操作部１３２の操作性を向上できる。また、操作部１３２には、ローレット加工がなされているので、より操作性を向上できる。
【００４４】
本実施形態では、第１当接部１４及び第２当接部１５の各接触部１４２，１５２に備えられた溝部１４２１，１５２１が略Ｖ字状に形成されているので、ばね棒３のピン３２の直径が異なる場合であっても、確実に各当接部１４，１５によりばね棒３が設けられたバンド４を時計ケース２に容易に取り付けることができる。
【００４５】
また、各当接部１４，１５の接触部１４２，１５２は、時計ケース２のカン２１とバンド４との間に挿入させるため、極めて薄く形成されている。このため、時計用バンドの取付治具１０を作業者が誤って床等に落下させた場合に、各当接部１４，１５が破損する可能性がある。本実施形態では、本体部１１及びスライド部材１３のそれぞれに設けられた各当接部１４，１５は、本体部１１及びスライド部材１３のそれぞれに対して交換可能に設けられているので、各当接部１４，１５のいずれかが破損した場合に、当該破損した当接部１４，１５のいずれかのみを交換することができる。すなわち、時計ケース２のカン２１にバンド４を連結するばね棒３に当接する当接部１４，１５単体での交換ができる。
【００４６】
本実施形態では、第１位置決めピン１４９を備えているので、容易に本体部１１に第１当接部１４を位置決めできる。また、第２位置決めピン１５９を備えているので、容易にスライド部材１３に第２当接部１５を位置決めできる。すなわち、容易かつ的確に本体部１１及びスライド部材１３に対してねじ１４７，１４８，１５７，１５８を介して各当接部１４，１５を取り付けることができる。
【００４７】
本実施形態では、当接部１４，１５を当接部本体１４１，１５１の長さが異なる当接部１４Ｅ，１５Ｅに取り換えることができる。すなわち、当接部１４，１５が破損した場合のみならず、時計ケースの形状に適した当接部を選択して、本体部１１及びスライド部材１３に取り付け、当該当接部によりばね棒３を把持することができるので、時計用バンドの取付治具１０によるばね棒３の取付作業性をさらに向上できる。
【００４８】
［第２実施形態］
次に、本発明の第２実施形態に係る時計用バンドの取付治具５０について、図面に基づいて説明する。
上記第１実施形態では、スライド部材１３に取り付けられた第２当接部１５を移動させることにより、第１当接部１４と第２当接部１５とを近接離間させた例を示した。これに対して、第２実施形態は、固定された第２当接部１５に対して第１当接部１４が近接離間する点で上記第１実施形態と異なる。また、第１実施形態では、本発明の第１指標であるマーク１６１を設け、マーク１６１が指示する目盛１６の位置が時計ケース２のカン幅を示す例を示した。これに対して、第２実施形態では、マーク１６１に加え、本発明の第２指標であるマーク１６２をさらに設けた点で上記第１実施形態と異なる。
なお、第１実施形態と第２実施形態において、同様の構成については同番号を付し、説明を省略する。従って、第１実施形態と異なる点についてのみ、以下に詳しく説明する。
【００４９】
図１３（Ａ）は、本発明の第２実施形態の時計用バンドの取付治具５０を示す正面図であり、図１３（Ｂ）は、上記時計用バンドの取付治具５０を示す斜視図である。
第２実施形態の時計用バンドの取付治具５０は、（以下、取付治具５０と略す場合がある）は、本体５００、スライド部材５３、及び本発明の第２距離表示部を構成する目盛１６を備えている。本体５００は、長手状の本体部５１と、本体部５１の基端側に取り付けられる把持部１２とを備えている。
【００５０】
［本体部の構成］
本体部５１は、把持部１２の端部から長手方向に延びる固定板５１０と、固定部材５１１とを備えている。固定部材５１１は、スライド部材５３を挟んだ状態で固定板５１０に固定される。すなわち、固定部材５１１は、スライド部材５３のガイド溝５３１を貫通した状態でスライド部材５３を挟持する。また、固定部材５１１には、不図示の板ばね部材が取り付けられており、当該板ばね部材がガイド溝５３１の上面５３１Ａを付勢する。
また、第２当接部１５は、固定部材５１１の把持部１２と逆側の端部に交換可能な状態で取り付けられている。
【００５１】
［スライド部材の構成］
スライド部材５３は、スライド部材本体５３０と、操作部５３２とを備えている。スライド部材本体５３０は、本体部５１の固定板５１０と略同形状である。また、スライド部材本体５３０には、その長手方向に沿って延びるガイド溝５３１が形成されている。ガイド溝５３１には、本体部５１の固定部材５１１が当該ガイド溝５３１を貫通した状態で固定板５１０に固定され、不図示の板ばね部材がガイド溝５３１の上面５３１Ａを付勢している。すなわち、スライド部材５３は、本体部５１の固定板５１０及び固定部材５１１により挟まれた状態で、これら固定板５１０及び固定部材５１１にガイドされるように移動可能になっている。
半円柱状の操作部５３２は、スライド部材本体５３０の表面側で、かつ、把持部１２側に設けられ、その表面にはローレット加工がなされている。
また、スライド部材本体５３０の先端側には、第１当接部１４が当該スライド部材本体５３０に対して交換可能な状態で取り付けられている。
【００５２】
［第２距離表示部の構成］
本発明の第２距離表示部は、目盛１６とマーク１６２とによって構成される。
スライド部材５３のスライド部材本体５３０には、目盛１６が設けられている。目盛１６は、第１当接部１４と第２当接部１５とが時計ケース２のカン２１に当接した際のカン幅を表示する他、各当接部１４，１５が当接するばね棒３の長さを表示するために設けられている。
また、固定部材５１１には、本発明の第１指標（インデックス）としてのマーク１６１とともに、本発明の第２指標（インデックス）としてのマーク１６２が設けられている。マーク１６１，１６２は、三角形状であり、その先端が目盛１６を指し示す機能を備えている。
【００５３】
［目盛の構成］
マーク１６２は、スライド部材５３に設けられた第１当接部１４の第１接触部１４２の第２面１４２Ｂと、固定部材５１１に設けられた第２当接部１５の第２接触部１５２の第２面１５２Ｂとの距離を表示する。
例えば、各当接部１４，１５の接触部１４２，１５２の第２面１４２Ｂ，１５２Ｂにばね棒３のピン３２の端部に当接させた場合、通常の状態にある場合のばね棒３の長さを計測することができる。また、各当接部１４，１５の接触部１４２，１５２の第２面１４２Ｂ，１５２Ｂにばね棒３のピン３２の端部に当接させた状態で、スライド部材５３を当接部１４，１５間が近接する方向に移動させた場合、ばね棒３のピン３２を押し込んだ状態の長さを計測することができる。
例えば、ばね棒３のピン３２の端部に各接触部１４２，１５２の第２面１４２Ｂ，１５２Ｂを当接させた場合に、固定部材５１１に設けられたマーク１６２が「１８」の数字を指し示した場合、作業者は、ばね棒３の通常の状態の長さが１８ｍｍであることを容易に理解できる。
すなわち、固定部材５１１に設けられたマーク１６２の先端が指し示す目盛１６の数値が、ばね棒３の長さとなる。
【００５４】
［第２実施形態の作用効果］
本発明の第２実施形態における時計用バンドの取付治具５０では、第１実施形態における効果に加え、以下の効果を奏する。
本実施形態では、目盛１６に対する第１当接部１４の第１接触部１４２の第２面１４２Ｂと第２当接部１５の第２接触部１５２の第２面１５２Ｂとの距離を表示するマーク１６２が設けられているので、各当接部１４，１５でばね棒３を挟持した状態でのマーク１６２により指示された目盛１６の位置がばね棒３の長さとなる。すなわち、本実施形態では、他の計測機器を用いることなくばね棒３の長さを容易に計測し、当該ばね棒３の長さをマーク１６２が指示する目盛１６の位置（数値）を見るだけで認識できるので、時計ケース２に適合するばね棒３の選択を容易にできる。
【００５５】
また、本実施形態では、固定部材５１１に第２当接部１５が取り付けられ、スライド部材５３に第１当接部１４が取り付けられることとしたので、第１当接部１４が第２当接部１５に対して当接離間する。このため、ばね棒３のピン３２を挟持する際、作業者は、スライド部材５３の操作部５３２を把持部１２に向けて引くことにより、ばね棒３のピン３２を各当接部１４，１５の各接触部１４２，１５２の第２面１４２Ｂ，１５２Ｂに当接させることができる。このため、作業者は、スライド部材５３を押すことなく、引くことによりばね棒３を挟持できる。
【００５６】
［変形例］
なお、本発明は前述の実施形態に限定されるものではなく、本発明の目的を達成できる範囲での変形、改良等は本発明に含まれるものである。
上記第１及び第２実施形態では、各当接部１４，１５をねじ１４７，１４８，１５７，１５８により本体部１１，５１及びスライド部材１３，５３に取り付けることとしたがこれに限られない。例えば、各当接部１４，１５を磁力により固定してもよいし、別途ロック機構等を設けるようにしてもよい。
【００５７】
上記第１及び第２実施形態では、各当接部１４,１５の溝部１４２１,１５２１にばね棒３の小径部３２２を挿通して、接触部１４２，１５２を第１つば部３２２１に接触させていたが、溝部１４２１,１５２１を設けない構成であってもよい。この場合には、接触部１４２，１５２をばね棒３の端面に対して接触させればよい。
また、上記第１及び第２実施形態では、各当接部１４,１５の溝部１４２１,１５２１が略Ｖ字状で形成されることとしたが、これに限られない。例えば、略Ｌ字状であってもよいし、略Ｕ字状であってもよい。
【００５８】
上記第１実施形態では、位置決め部材として位置決めピン１４９，１５９を設けることとしたが、これに限られない。すなわち、第１当接部１４と本体部１１及び第２当接部１５とスライド部材１３との位置決めができればどのような形状の部材であってもよい。
また、位置決めピン１４９，１５９が取り付けられる位置をそれぞれねじ１４７，１４８の間及びねじ１５７，１５８の間としたが、これに限られない。例えば、ねじ１４７，１５７を中心としてその両側に位置決めピン１４９，１５９及びねじ１４８，１５８を設けることとしてもよい。
なお、上記第１実施形態では、位置決めピン１４９，１５９を設けることとしたが、位置決めピンを設けなくてもよい。
【００５９】
上記第１実施形態では、スライド部材本体１３０の第２スライド板１３３の突出部１３３Ａに板ばね部材１３４が設けられることとしたが、これに限られない。すなわち、ガイド溝１１１の上面１１１Ａを付勢することにより、適度な摩擦力が発生する部材であれば、どのような部材であってもよい。
【００６０】
上記第１実施形態では、マーク１６１のみを設けることとしたが、これに限られない。例えば、第２実施形態と同様にマーク１６１に加え、マーク１６２を設けることとしてもよい。また、マーク１６２のみを設けることとしてもよい。
また、上記第２実施形態では、マーク１６１及びマーク１６２を設けることとしたが、これに限られない。例えば、マーク１６１及びマーク１６２のうち、いずれかのマークのみを備えることとしてもよい。
また、上記各実施形態では、マーク１６１，１６２を三角形状で構成することとしたが、これに限られない。目盛１６の数値を指し示すことができれば、どのような形状であってもよい。
【００６１】
上記第１及び第２実施形態において、第１当接部１４及び第２当接部１５によりばね棒３の長さを測る際に、各当接部１４，１５の接触部１４２，１５２の第２面１４２Ｂ，１５２Ｂにばね棒３のピン３２の端部を当接させた状態で計測することとしたが、これに限られない。例えば、ばね棒３のピン３２を各溝部１４２１，１５２１に嵌めこんだ状態で計測することとしてもよい。
なお、上記状態におけるばね棒３の計測は、ピン３２を筒状部材３１内に押し込んだ状態でもよいし、通常の状態で計測してもよい。すなわち、時計ケース２のカン２１にバンド４を取り付ける際に必要なばね棒３が選択できれば、どのような計測方法であってもよい。
【００６２】
上記第１及び第２実施形態において、操作部１３２，５３２は、半円柱状（凸状）である例を示したが、これに限られない。例えば、操作部１３２，５３２は、凹形状であってもよい。
上記第１及び第２実施形態において、各当接部１４，１５は、交換可能である例を示したがこれに限られない。例えば、スライド部材１３，５３及び本体部１１，５１と一体として形成されてもよい。
【符号の説明】
【００６３】
２…時計ケース、３…ばね棒、４…バンド、１０，５０…時計用バンドの取付治具、１１，５１…本体部、１２…把持部、１３，５３…スライド部材、１４…第１当接部、１５…第２当接部、１６…目盛（第１及び第２距離表示部）、２１…カン、１００，５００…本体、１１１，５３１…ガイド溝、１３２，５３２…操作部、１４２，１５２…接触部、１４２Ａ，１５２Ａ…第１面、１４２Ｂ，１５２Ｂ…第２面、１４７，１４８，１５７，１５８…ねじ（ねじ部材）、１４９…第１位置決めピン（第１位置決め部材）、１５９…第２位置決めピン（第２位置決め部材）、１６１…マーク（第１指標・第１距離表示部）、１６２…マーク（第２指標・第２距離表示部）、１４２１，１５２１…溝部。
【図１】
2015132582.tif 000003
【図２】
2015132582.tif 000004
【図３】
2015132582.tif 000005
【図４】
2015132582.tif 000006
【図５】
2015132582.tif 000007
【図６】
2015132582.tif 000008
【図７】
2015132582.tif 000009
【図８】
2015132582.tif 000010
【図９】
2015132582.tif 000011
【図１０】
2015132582.tif 000012
【図１１】
2015132582.tif 000013
【図１２】
2015132582.tif 000014
【図１３】
2015132582.tif 000015